(57)【要約】【課題】組立式紙箱として、ショートケーキのような軟弱な収容物でも形崩れを生じることなく容易に出し入れ可能であり、内底面が平坦で収容物の納まりがよく、持ち運び中に収容物を変形させる懸念がなく、箱の平面形状を正方形やそれに近い形状に設定でき、製作容易なものを提供する。【解決手段】一枚の紙板からなり、展開状態において、後側板部２と左右側板部３，４とが後側板部２を中央にして横方向に連設され、後側板部２の下縁に底板部５と前側板部１とが縦方向に連設され、左右側板部３，４の各下縁に折罫線ｈを有する底受け用フラップ６，７が延設され、両底受け用フラップ６，７が斜め折罫線ｈよりも先端側で結合されて底受け部１５を形成し、組立形態で底受け部１５上に底板部５が載り、前側板部１が前方へ開放可能であり、折畳み形態で後側板部２と底板部５とが重なり、底受け部１５の斜め折罫線ｈでの折り付けによって左右側板部３，４が底板部５上に交互に重なる構成とする。【選択図】        図１
2004299771.tif 000002
【特許請求の範囲】
【請求項１】
一枚の紙板からなり、展開状態において、後側板部と左右側板部とが後側板部を中央にして横方向に連設され、その後側板部の下縁に底板部と前側板部とが縦方向に連設されると共に、左右側板部の各下縁に底受け用フラップが延設され、
前記の両底受け用フラップは、各々後側板部側コーナー部からの斜め折罫線を有し、その斜め折罫線よりも先端側で相互に結合されて底受け部を形成し、
組立形態において、前記の底受け部上に底板部が載ると共に、前側板部が前方へ傾倒して開放可能である一方、
折畳み形態において、後側板部と底板部とが内面側同士で重なると共に、前記底受け部の斜め折罫線での折り付けによって左右側板部が底板部の外面側に交互に重なるように構成されてなる組立式紙箱。
【請求項２】
前記底受け部に、引き切りによって当該底受け部を左右に断裂させるジッパー部が設けられてなる請求項１記載の組立式紙箱。
【請求項３】
前後側板部の各上縁に、把手部付きの上蓋フラップが延設され、左右側板部の各上縁に、両上蓋フラップの垂直に重ね合わせた把手部の左右両肩部に係合させる蓋止めフラップが延設されてなる請求項１又は２に記載の組立式紙箱。
【発明の詳細な説明】
【０００１】
【発明の属する技術分野】
この発明は、例えばショートケーキのような形崩れし易い生菓子類の持ち帰り等に使用される組立式紙箱に関する。
【０００２】
【従来の技術】
一般的に、この種の組立式紙箱は、一枚の紙板から形成されており、未使用時の偏平な折畳み形態から箱型に組み立てて用いるようにになっている。そして、従来にあっては、このような組立式紙箱として、ボトムロック方式や２コーナー貼り方式のものが汎用されている。
【０００３】
ボトムロック方式の紙箱は、四周の側板部が横方向に連設され、その一端側の側板部と他端側の側板部とが一方に設けた貼着片を介して接着されると共に、これら側板部の各下縁に延設された底蓋フラップが２枚一対で接着して各々Ｌ字形の底半部をなし、両底半部が折畳み形態において斜め折罫線で上方へ山折りに折り込まれ、紙箱を組み立てる際には平行四辺形状に偏平化していた側板部を拡げて矩形枠状にすることにより、両底半部が平坦化しながら互いに係合して底蓋を形成する。一方、２コーナー貼り方式の紙箱は、展開形態で底板部の四辺に延設されている四周の側板部の内、後側板部と左右側板部とが貼着片を介して接着され、独立した前側板部が前方への傾倒で開放可能になっており、左右側板部には折畳み時に箱内側へ折り込めるように前側板部とのコーナー部からの斜め折罫線が設けられている。
【０００４】
しかるに、前記のボトムロック方式の紙箱は、組み立てをワンタッチ操作で容易に迅速に行えるという利点がある反面、上蓋フラップを開いて開放した上部から収容物を出し入れするため、ショートケーキのような変形し易い生菓子類では出入操作が難しく、とりわけ持ち帰った消費者が取り出す際に往々にして形崩れして興趣を削ぐ結果になっていた。また、前記の２コーナー貼り方式の紙箱は、前側板部が前方へ開くために収容物の出し入れは容易であるが、組立形態で左右側板部が斜め折罫線による折り癖で内側へ突出して内容積を狭める形になり、ショートケーキの如き生菓子類では持ち運び中に左右側板部の突出部分に接触して変形し、商品価値の低下を招くことが多々あった。
【０００５】
そこで、ボトムロック方式の紙箱において、一側板部とその両側の側板部との縦折罫線に沿ってミシン目を入れ、収容物を取り出す際に該一側板部を両側のミシン目で切り離して外側へ傾倒させることにより、上面から側面にわたって開放する構成としたものが提案されている（特許文献１，２）。
【０００６】
また、図１０に示すように、展開状態において、後側板部（２１）と左右側板部（２２）（２３）とを横方向に連設すると共に、後側板部（２１）の下縁に底板部（２４）と前側板部（２５）とを縦方向に連設し、左右側板部（２２）（２３）の各下縁に延設した接続用フラップ（２６）（２７）に後側板部（２１）とのコーナー部からの斜め折罫線（ｐ）を設け、図１１（Ａ）（Ｂ）に示すように、斜め折罫線（ｐ）よりも先端側を貼着片（２６ａ）（２７ａ）として底板部（２４）の裏面に貼着し、組立形態において前側板部（２５）が前方へ開放可能で且つ左右側板部（２２）（２３）に斜め折罫線のない構造としたものも提案されている（特許文献３）。図中、貼着片（２６ａ）（２７ａ）の破線ハッチングを施した領域が貼着部、底板部（２４）の仮想線で囲む領域が被貼着部である。なお、（２８）（２９）は把手部付き上蓋フラップ、（３０）（３１）は蓋止めフラップ、（３２）（３３）は折込みフラップである。
【０００７】
【特許文献１】
登録実用新案第３０００８５９号公報
【特許文献２】
登録実用新案第３０３７０８４号公報
【特許文献３】
特許第２５４６７８７号公報
【０００８】
【発明が解決しようとする課題】
しかしながら、特許文献１，２で提案されるボトムロック方式の紙箱では、収容物を取り出す際に該一側板部を両側のミシン目で切り離すのに手間がかかる上、この切り離し時の箱の揺れで収容物が変形したり、切り離し部分がいびつになって取り出す収容物に接触して形崩れを生じたりし易いという難点がある。また、ボトムロック方式では、箱の内底面が平坦でないため、収容物の納まりが悪い上、持ち運び中に不用意に底を押し上げた際に収容物が上蓋に接触して形崩れする懸念もある。
【０００９】
一方、特許文献３で提案される紙箱では、折畳み形態での左右側板部（２２）（２３）は、底板部（２４）の外面上に交互に折り重ねられるが、接続用フラップ（２６）（２７）を介して底板部（２４）に繋がっているため、例えば左側板部（２２）を上にする場合、図１１（Ｂ）に示すように、左側の接続用フラップ（２６）の基部（２６ｂ）が立ち上がった状態で右側板部（２３）を底板部（２４）上に重ねることになり、右側板部（２３）を該基部（２６ｂ）に干渉しない長さにする必要がある。この長さとは左右側板部（２２）（２３）の幅（ｗ２  ）であるから、底板部（２４）の左右一端から同側の接続用フラップの貼着端までの長さを（α）とすれば、前記幅（ｗ２  ）は底板部（２４）の左右幅（ｗ１  ）よりも少なくとも（α）だけ短くせねばならならず、ｗ２  ≦（ｗ１  −α）が必須条件となる。従って、この紙箱では、折畳み可能とする上で箱の平面形状を左右に長い形にせざるを得ず、正方形やそれに近い形状に設定できないという致命的な欠点がある。
【００１０】
【発明が解決しようとする課題】
この発明は、上述の事情に鑑みて、組立式紙箱として、ショートケーキのような軟弱な収容物でも形崩れを生じることなく容易に出し入れ可能であると共に、内底面が平坦で収容物の納まりがよく、持ち運び中に収容物を変形させる懸念がなく、しかも箱の平面形状を正方形やそれに近い形状に設定でき、また製作容易なものを提供することを目的としている。
【００１１】
上記目的を達成するために、この発明に係る組立式紙箱は、一枚の紙板からなり、展開状態において、後側板部と左右側板部とが後側板部を中央にして横方向に連設され、その後側板部の下縁に底板部と前側板部とが縦方向に連設されると共に、左右側板部の各下縁に底受け用フラップが延設され、前記の両底受け用フラップは、各々後側板部側コーナー部からの斜め折罫線を有し、その斜め折罫線よりも先端側で相互に結合されて底受け部を形成し、組立形態において、前記の底受け部上に底板部が載ると共に、前側板部が前方へ傾倒して開放可能である一方、折畳み形態において、後側板部と底板部とが内面側同士で重なると共に、前記底受け部の斜め折罫線での折り付けによって左右側板部が底板部の外面側に交互に重なるように構成されている。
【００１２】
このような組立式紙箱では、組立状態において前側板部を外側へ傾倒させ、もって箱上面から前面にわたって広く開放させた状態で収容物の出し入れを行える。しかして、左右側板部は、斜め折罫線を有さず、且つ底受け部を介して相互に繋がり、この底受け部が組立形態では上に重なる底板部によって斜め折罫線での曲がりのない伸張状態に保持され、後側板部と一緒にしっかりとした枠体を構成するから、収納状態と前側板部を開いた状態のいずれにおいても直立姿勢を保ち、内側への突出や内外への傾倒を生じない。また、箱の内底面は全体が平坦な底板部からなるため、収容物の納まりがよく、前側板部を開いて収容物を前方から出し入れする際にも底部での引っ掛かりを生じない。しかも、左右側板部が底板部とは分離しており、折畳み形態では、底受け部を両側の斜め折罫線を外面側から見て山折りにして下方へ突き出す形にして、左右側板部を干渉なく交互に底板部の外面側に折り重ねることができるため、左右側板部の最大幅は底板部の左右幅と等しくでき、もって箱の平面形状を正方形やそれに近い形状に設定可能である。
【００１３】
このような組立式紙箱において、前記底受け部に断裂用のジッパー部を設けておけば、使用後に廃棄する際、該ジッパー部の引き切りによって誰でも簡単に嵩張らない偏平な形にすることができる。また、手提げ型の組立式紙箱とするには、前後側板部の各上縁に、把手部付きの上蓋フラップを延設し、左右側板部の各上縁に、両上蓋フラップの垂直に重ね合わせた把手部の左右両肩部に係合させる蓋止めフラップを延設した構成とすればよい。
【００１４】
【発明の実施の形態】
以下、この発明に係る組立式紙箱の一実施形態について、図面を参照して具体的に説明する。この組立式紙箱は、一枚の紙板からなり、その紙板原材より図１の内面側から見た展開状態で示す形態に切り抜くと共に、折り目付け及び切り込みを行ったものである。
【００１５】
すなわち、この組立式紙箱の展開状態では、後側板部（２）と左右側板部（３）（４）とが後側板部（２）を中央にして縦折罫線（ａ）を介して横方向に連設されると共に、後側板部（２）の下縁に底板部（５）と前側板部（１）とが横折罫線（ｂ）（ｃ）を介して縦方向に連設されている。そして、左右側板部（３）（４）には、下縁に横折罫線（ｄ）を介して底受け用フラップ（６）（７）が、上縁に横折罫線（ｅ）を介して蓋止めフラップ（８）（９）が、側縁に縦折罫線（ｆ）を介して折込みフラップ（１０）（１１）が、それぞれ延設されている。また、前後側板部（１）（２）の上縁には、横折罫線（ｇ）を介して把手付き上蓋フラップ（１２）（１３）がそれぞれ延設されている。なお、把手付き上蓋フラップ（１２）（１３）は蓋部（１２ａ）（１３ａ）と把手部（１２ｂ）（１３ｂ）との間に横折罫線（ｉ）が設けてある。
【００１６】
左側板部（３）側の底受け用フラップ（６）は、後側板部（２）側コーナー部から横折罫線（ｄ）に対して４５度の角度をなす斜め折罫線（ｈ）により、該左側板部（３）の下縁を底辺とする直角二等辺三角形の基部（６ａ）と、同斜め折罫線（ｈ）を底辺とする略直角二等辺三角形の貼着片（６ｂ）とに分かれている。また、右側板部（４）側の底受け用フラップ（７）は、同様の斜め折罫線（ｈ）により、該右側板部（３）の下縁を底辺とする直角二等辺三角形の基部（７ａ）と、同斜め折罫線（ｈ）を片側斜辺とする略台形の接続片（７ｂ）とに分かれており、接続片（７ｂ）の中央には横断方向の切れ目によるジッパー部（１４）が形成されている。
【００１７】
この展開状態から組立式紙箱を製作するには、まず後側板部（２）と底板部（３）とを横折罫線（ｂ）で折り曲げて図２の如く内面同士で重ね合わせると共に、両底受け用フラップ（６）（７）を各々斜め折罫線（ｈ）で外面から見て山折りに折り曲げ、図３の如く貼着片（６ｂ）及び接続片（７ｂ）を内面側へ折り返す。そして、この状態で右側板部（４）を縦折罫線（ａ）で折り曲げて図４の如く底板部（５）の外面側に重ね合わせ、その上に同様に折り曲げた左側板部（３）を図５の如く重ね合わせる。このとき、両底受け用フラップ（６）（７）は、図１〜３で各々破線ハッチングを施した貼着片（６ｂ）の外面領域と接続片（７ｂ）の先部側の内面領域との一方又は両方に予め塗布した接着剤により、相互に貼着させて図６に示すように一体の底受け部（１５）とすればよく、これによって紙箱の製作が完了する。
【００１８】
かくして、図５に示す折畳み形態として製作された組立式紙箱は、偏平で嵩張らないために取扱い性がよく、多数枚を積み重ねた状態で場所を取らずに運搬・保管を行える。また、その製作においては、蓋受け部（１５）を構成するための底受けフラップ（６）（７）の結合部一箇所のみを貼着すればよいから、製作設備が簡素化すると共に製作能率も向上し、それだけ製作コストを低減できる。
【００１９】
この折畳み形態の組立式紙箱を使用する際は、底板部（５）上に重ね合わされていた左右側板部（３）（４）を図６に示すように開いて起立させ、次いで後側板部（２）に重なっていた底板部（５）を図７に示すように前側板部（１）と一緒に前方へ開き出せばよい。これにより、図９に示すように、底板部（５）が左右側板部（３）（４）の間に割り込む形で底受け部（１５）上に載るから、該底受け部（１５）は伸張して斜め折罫線（ｈ）での曲がりのない状態になり、もって左右側板部（３）（４）は直立して後側板部（２）と一緒にしっかりとした枠体を構成することになる。
【００２０】
かくして組立形態とした組立式紙箱は、図７に示すように上面から前面にわたって広く開放しているから、収容物を前面側から箱内に入れ込むことができ、収容物がショートケーキのような形崩れし易いものであっても、変形を生じさせることなく容易に能率よく収容することが可能である。また、箱の内底面は全体が底板部（５）の平坦面になっているから、この収容時に底部での引っ掛かりを生じず、収容操作を円滑に行えると共に、収容物の納まりも良い。
【００２１】
収容物を内部に納めた後は、折込みフラップ（１０）（１１）を縦折罫線（ｆ）で内向きに折り曲げた上で、前側板部（１）を横折罫線（ｃ）で折り曲げて垂直に立て、把手付き上蓋フラップ（１２）（１３）を横折罫線（ｇ）で内側に、横折罫線（ｉ）で外側に山折りにすることにより、蓋部（１２ａ）（１３ａ）で箱の上面を封鎖すると共に、把手部（１２ｂ）（１３ｂ）を垂直状態で突き合わせ、その左右両肩部を横折罫線（ｅ）で内側へ折り曲げた蓋止めフラップ（８）（９）で係止し、図８で示す手提げ箱形態とし、持ち帰り用として顧客に手渡される。
【００２２】
上蓋フラップ（１２）（１３）と蓋止めフラップ（８）（９）による手提げ式の蓋構造は従来から知られるものである。すなわち、上蓋フラップ（１２）（１３）の両把手部（１２ｂ）（１３ｂ）を垂直状態で突き合わせる際、把手部（１２ｂ）側に切り込み形成された突片（１２ｃ）を把手部（１３ｂ）側に設けた切り抜き孔（１３ｃ）に挿入して把手を構成し、蓋止めフラップ（８）（９）に切り込み形成された係止スリット（１６）に、突き合わせた両把手部（１２ｂ）（１３ｂ）の左右両肩部に設けた係止突起（１７）を挿入して係止させるが、これに先だって蓋止めフラップ（８）（９）の基部中央に切り込み形成された半円形の受け片（１８）を内側へ折り曲げておき、両受け片（１８）（１８）で両上蓋フラップ（１２）（１３）の突き合わせ部を受け止めるようにする。
【００２３】
なお、この実施形態では、上蓋フラップ（１２）（１３）の蓋部（１２ａ）（１３ａ）の左右両側に横折罫線（ｉ）に接して小突起（１９）が設けてあり、これら小突起（１９）を蓋止めフラップ（８）（９）の受け片（１８）の抜け孔（１８ｂ）に嵌入させることにより、上蓋フラップ（１２）（１３）全体の位置決め係止をより確実なものとしている。
【００２４】
このように収容物を納めて手提げ箱形態とした組立式紙箱は、前記のように後側板部（２）及び左右側板部（３）（４）と底受け部（１５）とでしっかりした枠体を構成しているから、四周側面が直立して確固とした箱形態を保つ上、箱の内底面全体が平坦で内容物の納まりがよいから、持ち運ぶ途中で箱の歪みや変形、底の持ち上がり等による収容物の形崩れを生じる懸念がなく、外観体裁も良好である。
【００２５】
しかして、この手提げ箱形態とした組立式紙箱より収容物を取り出すには、蓋止めフラップ（８）（９）を外側へ開いて係止スリット（１６）から係止突起（１７）を抜出させ、両上蓋フラップ（１２）（１３）を開いて前側板部（１）を前方へ傾倒させる。これにより、箱の上面から前面にわたって広く開放し、収容物を前方へ引き出し可能となる上、箱の内底面が平坦で引っ掛かりを生じないため、該収容物がショートケーキのような形崩れし易いものであっても、また取扱いに不慣れな消費者であっても、変形を生じさせることなく容易に取り出すことができる。
【００２６】
また、使用済みの組立式紙箱を廃棄する際、嵩張らないように偏平な形にすることが好ましいが、元の折畳み形態を熟知しない一般の消費者にとっては偏平化するのに手間取ることになる。しかるに、この実施形態の組立式紙箱では、底受け部（１５）にジッパー部（１４）を設けているから、このジッパー部（１４）を引き切って底受け部（１５）を左右に断裂させれば、箱全体が平面的に展開可能になるから、誰でも容易に偏平な形に折り畳んで廃棄することができる。
【００２７】
この発明の組立式紙箱は、上記実施形態では平面形状をやや横長の矩形にしているが、該平面形状を正方形やそれに近い形状に設定することが可能である。すなわち、この組立式紙箱の構成では、左右側板部（３）（４）が底板部（５）とは分離しており、図５に示すように折畳み形態において底受け部（１５）が両側の斜め折罫線（ｈ）を外面側から見て山折りにして下方へ突き出す形にできるから、左右側板部（２）（３）は干渉せずに交互に底板部（１５）の外面側に折り重ねることができ、その下側になる側板部の折込みフラップ（１０）又は（１１）を折り返すようにすれば、左右側板部（２）（３）の幅が底板部（５）の左右幅と等しくなるまで交互に折り重ね可能であり、もって平面形状を正方形やそれに近い形状に設定できる。
【００２８】
なお、上記の実施形態では手提げ型の組立式紙箱を例示したが、この発明は上蓋差し込み型の組立式紙箱にも同様に適用できる。この上蓋差し込み型の組立式紙箱では、前後側板部（１）（２）の一方に、先端に差し込み片を有する上蓋を横折罫線を介して延設し、左右側板部（３）（４）の上縁に横折罫線を介して蓋受け用の折込みフラップを設ける以外は、前記実施形態と同様の構造を採用すればよい。つまり、後側板部（２）と左右側板部（２）（３）を横方向に、底板部（５）と前側板部（１）を縦方向にそれぞれ連設し、左右側板部（２）（３）の下縁に延設した底受けフラップ（６）（７）を連結して底受け部（１５）を構成すればよい。
【００２９】
この発明に係る組立式紙箱は、把手付き上蓋フラップ（１２）（１３）の形状、蓋止めフラップ（８）（９）の形状と把手部（１２ｂ）（１３ｂ）に対する係止構造、底受けフラップ（６）（７）の形状等、細部構成については実施形態以外に種々設計変更可能である。例えば、底受け部（１５）のジッパー部（１４）は、左右の斜め折罫線（ｈ）の一方又は両方に沿う形で設けてもよい。
【００３０】
【発明の効果】
請求項１の発明によれば、組立式紙箱として、未使用時の偏平な折畳み形態から簡単に箱型に組み立てることができ、組立形態で前側板部を外側へ傾倒して箱上面から前面にわたって広く開放し得るから、ショートケーキのような形崩れし易い軟弱な収容物でも形を損なわずに容易に出し入れでき、また内底面が平坦であるため、出し入れに際して底部での引っ掛かりを生じず、収容物の納まりがよい上、後側板部及び左右側板部と底受け部とでしっかりした枠体を構成し、左右側板部の内側への突出や内外への傾倒を生じず、四周側面が直立して外観体裁のよい確固とした箱形態を保ち、持ち運び中に収容物を変形させる懸念がなく、しかも箱の平面形状を正方形やそれに近い形状に設定でき、且つ低コストで能率よく製作できるものが提供される。
【００３１】
請求項２の発明によれば、上記の組立式紙箱において、前記底受け部に断裂用のジッパー部を有することから、使用後に廃棄する際、該ジッパー部の引き切りによって誰でも簡単に嵩張らない偏平な形に折り畳むことができるという利点がある。
【００３２】
請求項３の発明によれば、上記の組立式紙箱として、持ち運び容易な手提げ型のものが提供される。
【図面の簡単な説明】
【図１】この発明の一実施形態に係る組立式紙箱の内面側から見た展開図である。
【図２】同組立紙箱を展開状態から製作する際の第一段階を示す平面図である。
【図３】同第二段階を示す平面図である。
【図４】同第三段階を示す平面図である。
【図５】同最終段階を経て製作された折畳み形態の組立式紙箱の平面図である。
【図６】同組立紙箱の折畳み形態からの組立操作を示す斜視図である。
【図７】同組立紙箱の組立形態で上面から前面を開放した状態を示す斜視図である。
【図８】同組立紙箱の組立形態で上蓋を閉じた状態を示す斜視図である。
【図９】同組立紙箱の下部の縦断正面図である。
【図１０】従来提案に係る組立式紙箱の展開図である。
【図１１】同従来提案に係る組立式紙箱の製作手順を示し、（Ａ）図は左右側板部と底板部の貼着前の状態を示す斜視図、（Ｂ）図は同貼着後の状態を示す斜視図である。
【符号の説明】
１  ・・・・・・・・前側板部
２  ・・・・・・・・後側板部
３  ・・・・・・・・左側板部
４  ・・・・・・・・右側板部
５  ・・・・・・・・底板部
６，７・・・・・・・底受けフラップ
６ａ，７ａ・・・・・基部
６ｂ・・・・・・・・貼着片
７ｂ・・・・・・・・接続片
８，９・・・・・・・蓋止めフラップ
１０，１１・・・・・折込みフラップ
１２，１３・・・・・把手付き上蓋フラップ
１２ａ，１３ａ・・・基部
１２ｂ，１３ｂ・・・把手部
１４・・・・・・・・ジッパー部
１５・・・・・・・・底受け部
ａ，ｆ・・・・・・・縦折罫線
ｂ〜ｅ，ｉ・・・・・横折罫線
ｈ  ・・・・・・・・斜め折罫線
【図１】
2004299771.tif 000003
【図２】
2004299771.tif 000004
【図３】
2004299771.tif 000005
【図４】
2004299771.tif 000006
【図５】
2004299771.tif 000007
【図６】
2004299771.tif 000008
【図７】
2004299771.tif 000009
【図８】
2004299771.tif 000010
【図９】
2004299771.tif 000011
【図１０】
2004299771.tif 000012
【図１１】
2004299771.tif 000013